(57)【特許請求の範囲】
【請求項１】
便器本体と、
床に固定されて設けられ、前記便器本体を前記床から浮かした状態で支持すると共に、前記便器本体の側方に設けられた一対の横壁に固定された支持部材と、
を備え、
前記支持部材は、
前記便器本体の後ろ側で床上に支持されて前記床の上方に延在して設けられ、前記便器本体が取り付けられた縦フレームと、
前記縦フレームの真上に固定されて前記縦フレームに支持されると共に、前記縦フレームに固定された位置から前記横壁に向けて前記縦フレームと直交する方向に延在し、両端部が前記一対の横壁のそれぞれに固定された横フレームと、
を有し、
前記便器本体に加わった下向きの力が、前記横フレームを介して前記一対の横壁に対しても下向きの力として伝わり、前記床と前記一対の横壁に分散されることを特徴とする住宅用壁掛け腰掛便器。
【請求項２】
前記横フレームは、前記便器本体の上面よりも上方で前記縦フレームに支持されていることを特徴とする請求項１記載の住宅用壁掛け腰掛便器。
【請求項３】
前記横壁は、前記便器本体が設置される室の壁とは別に、前記室内における前記便器本体の側方に設けられたことを特徴とする請求項１または２に記載の住宅用壁掛け腰掛便器。
【請求項４】
前記便器本体の後方に設けられ、前記横フレームを上下に挟んで分割されたキャビネット板をさらに備えたことを特徴とする請求項１〜３のいずれか１つに記載の住宅用壁掛け腰掛便器。
【発明の詳細な説明】
【技術分野】
【０００１】
本発明は、住宅用壁掛け腰掛便器に関する。
【背景技術】
【０００２】
腰掛便器を床から浮かせた状態で設置した壁掛け便器が知られている（例えば、特許文献１）。この壁掛け便器は、床の強度が十分確保されたパブリック向けによく採用されている。しかし、一般の住宅ではパブリック向けのトイレ室に比べて床の強度が不足していることが多い。このことから、住宅に壁掛け便器を設置した場合、使用者が着座すると、壁掛け便器を床上に支持するフレームが傾いて、便器本体が前方に倒れるように傾いてしまう懸念がある。
【先行技術文献】
【特許文献】
【０００３】
【特許文献１】特開２００３−１１９８７０号公報
【発明の概要】
【発明が解決しようとする課題】
【０００４】
本発明は、住宅にて使用者が壁掛け便器に腰掛けたときに、便器本体が前方に傾きにくい住宅用壁掛け腰掛便器を提供する。
【課題を解決するための手段】
【０００５】
第１の発明は、便器本体と、床に固定されて設けられ、前記便器本体を前記床から浮かした状態で支持すると共に、前記便器本体の側方に設けられた一対の横壁に固定された支持部材と、を備え、前記支持部材は、前記便器本体の後ろ側で床上に支持されて前記床の上方に延在して設けられ、前記便器本体が取り付けられた縦フレームと、前記縦フレームの真上に固定されて前記縦フレームに支持されると共に、前記縦フレームに固定された位置から前記横壁に向けて前記縦フレームと直交する方向に延在し、両端部が前記一対の横壁のそれぞれに固定された横フレームと、を有し、前記便器本体に加わった下向きの力が、前記横フレームを介して前記一対の横壁に対しても下向きの力として伝わり、前記床と前記一対の横壁に分散されることを特徴とする住宅用壁掛け腰掛便器である。
【０００６】
第１の発明によれば、床と共に横壁も便器本体に加わった下向きの力を負担し、支持部材の下の床部分にかかる下向き荷重が軽減する。これにより、床のたわみが抑制され、便器本体が前方へ倒れるように傾くことを抑制できる。
【０００８】
第１の発明によれば、簡単な構成で、便器本体に加わった下向きの力を、横壁に対しても下向きの力として伝えて横壁に分散させることができる。
【０００９】
第２の発明は、第１の発明において、前記横フレームは、前記便器本体の上面よりも上方で前記縦フレームに支持されていることを特徴とする。
【００１０】
第２の発明によれば、便器本体の真後ろに横フレームがないため、便器本体に対する給水管や排水管の接続作業がしやすい。
【００１１】
第３の発明は、第１〜第２の発明のいずれか１つにおいて、前記横壁は、前記便器本体が設置される室の壁とは別に、前記室内における前記便器本体の側方に設けられたことを特徴とする。
【００１２】
第３の発明によれば、支持部材を固定させるのに適した横壁が躯体になくても対応できる。
【００１３】
第４の発明は、第１〜第３の発明のいずれか１つにおいて、前記便器本体の後方に設けられ、前記横フレームを上下に挟んで分割されたキャビネット板をさらに備えたことを特徴とする。
【００１４】
第４の発明によれば、キャビネット板を設置するにあたって横フレームの存在が障害にならず、施工性がよい。
【発明の効果】
【００１５】
本発明によれば、着座した使用者に不快感を感じさせない住宅用壁掛け腰掛便器が提供される。
【図面の簡単な説明】
【００１６】
【図１】（ａ）は第１実施形態の壁掛け腰掛便器の斜視図であり、（ｂ）は同壁掛け腰掛便器の側面図。
【図２】図１（ａ）における後ろ側から見た壁掛け腰掛便器の斜視図。
【図３】第１実施形態の壁掛け腰掛便器における支持部材の斜視図。
【図４】第１実施形態の壁掛け腰掛便器にキャビネット板を組み合わせた状態の斜視図。
【図５】第１実施形態の支持部材が固定される横壁の変形例を表す斜視図。
【図６】（ａ）は第２実施形態の壁掛け腰掛便器の上面図であり、（ｂ）は同壁掛け腰掛便器の正面図。
【図７】第２実施形態の壁掛け腰掛便器の側面図。
【発明を実施するための形態】
【００１７】
以下、図面を参照し、実施形態について説明する。各図面中、同じ要素には同じ符号を付している。
【００１８】
（第１実施形態）
図１（ａ）は、第１実施形態の壁掛け腰掛便器１０の斜視図であり、図１（ｂ）はその壁掛け腰掛便器１０の側面図である。  
図２は、図１（ａ）における後ろ側から見た壁掛け腰掛便器１０の斜視図である。
【００１９】
実施形態の壁掛け腰掛便器１０は、便器本体１１と、支持部材２０とを備えている。
【００２０】
便器本体１１は、大便器やビデなどの使用者が腰掛けて使う便器である。便器本体１１の後部１３が、支持部材２０に対して取り付けられている。
【００２１】
支持部材２０は、便器本体１１を床１００から浮かした状態で支持する。支持部材２０は、床１００に対して固定されている。さらに、支持部材２０は、便器本体１１の側方に設けられた一対の横壁２００（図１において２点鎖線で表す）に対して固定されている。一対の横壁２００は、便器本体１１を挟んで平行に向き合っている。
【００２２】
図３（ａ）は、支持部材２０における便器本体１１が取り付けられる正面側から見た斜視図であり、図３（ｂ）は、図３（ａ）における後ろ側から見た支持部材２０の斜視図である。
【００２３】
支持部材２０は、一対の載置部２２と、一対の縦フレーム２１と、前パネル２３と、横フレーム２６とを有する。
【００２４】
載置部２２は、図１（ｂ）に示すように、便器本体１１の後方の床面１００ａに載置され、例えばボルトで床１００に固定される。縦フレーム２１は、載置部２２に対して固定され、載置部２２から上方に延在している。載置部２２及び縦フレーム２１は一体に形成され、縦フレーム２１の前面部２１ａから載置部２２にかけてＬ字状になっている。
【００２５】
一対の載置部２２及び一対の縦フレーム２１は、一対の横壁２００の間で、一対の横壁２００を結ぶ方向に並んで配置されている。それら一対の縦フレーム２１の前面部２１ａの間に、前パネル２３が設けられている。前パネル２３は、縦フレーム２１の前面部２１ａに対して例えばボルトで固定されている。前パネル２３には、開口２３ａが形成されている。
【００２６】
一対の縦フレーム２１の上部に、横フレーム２６が固定されている。横フレーム２６は、一対の縦フレーム２１のそれぞれに対してボルト３１で固定されて、一対の縦フレーム２１に対して支持されている。
【００２７】
縦フレーム２１は、床面１００ａから鉛直方向に上方に延在しており、横フレーム２６は、鉛直方向に対して直交する水平方向に延在している。さらに具体的には、横フレーム２６は、対向する一対の横壁２００を結ぶ方向に延在し、その両端部のそれぞれが一対の横壁２００に対して固定されている。
【００２８】
横フレーム２６は、上記水平方向に延在するフレーム本体２７と、フレーム本体２７の長手方向の両端部に取り付けられた一対のスライド部２８とを有する。
【００２９】
フレーム本体２７は、一対の縦フレーム２１及び前パネル２３に対してボルト３１で固定されている。スライド部２８は、フレーム本体２７の端部に、水平方向にスライド自在に取り付けられている。スライド部２８の端部には、横壁２００に対する取付部２９が設けられている。スライド部２８のスライドに伴い、取付部２９も水平方向にスライドする。取付部２９は、横壁２００に対して平行な板状に形成されている。
【００３０】
縦フレーム２１は、便器本体１１の後ろ側で載置部２２を介して床面１００ａ上に支持されて、上方（鉛直方向）に延在している。横フレーム２６は、床面１００ａを上方から見た平面視で、一対の縦フレーム２１の真上の位置を、水平方向であって且つ一対の横壁２００を結ぶ方向に延びている。
【００３１】
載置部２２は床１００に対してボルトで固定される、したがって、縦フレーム２１も床１００に対して固定される。横フレーム２６の両端部に取り付けられたスライド部２８の取付部２９は、ボルトで横壁２００に対して固定される。横壁２００の強度が十分でない場合には、例えば合板などで補強した横壁２００に対して横フレーム２６の取付部２９が固定される。
【００３２】
このとき、スライド部２８は、一対の横壁２００間を結ぶ方向にスライド自在であるため、様々な横壁２００間の距離に対応できる。すなわち、横フレーム２６全体の長さは固定されておらず、壁掛け腰掛便器１０を設置するトイレ室における一対の横壁２００間の距離に応じてスライド部２８をスライドさせて、横フレーム２６の長さを調整できる。
【００３３】
便器本体１１は、図１（ａ）、（ｂ）および図２に示すように、支持部材２０の前方の空間に設けられる。支持部材２０の前方の空間とは、支持部材２０の縦フレーム２１の前面部２１ａが面する空間である。
【００３４】
便器本体１１は、前部１２と、前部１２の反対側に設けられた後部１３とを有し、後部１３には図２に示す給水口１４と排水口１５が形成されている。便器本体１１の後部１３が、２本のボルト３１によって、縦フレーム２１及び横フレーム２６に対して固定される。
【００３５】
給水口１４は便器本体１１の後部１３の上部に形成され、その下に排水口１５が形成されている。２本のボルト３１は、便器本体１１の後部１３における給水口１４を横方向（横フレーム２６の延在方向）に挟む位置を貫通する。縦フレーム２１に対する横フレーム２６及び便器本体１１の取り付けには、同じボルト３１が兼用して使われている。
【００３６】
図３（ａ）に示すように、支持部材２０の前パネル２３の下部には、前方に突出した便器受け部２５が設けられている。便器受け部２５は、例えば円板状に形成され、図１（ｂ）に示すように、便器本体１１の後部１３の下部を受ける。すなわち、便器本体１１の後部１３の下部は便器受け部２５に当接し、便器本体１１の下部の後方（支持部材２０側）への移動が規制される。これにより、便器本体１１の下部は、便器受け部２５によって位置決めされて支えられる。
【００３７】
便器本体１１の後方には、図４に示すように、キャビネット板が設置される。図４は、便器本体１１及び支持部材２０の後方側から見た斜視図である。
【００３８】
キャビネット板は、天板４１と、上部前板４２と、下部前板４３と、一対の上部側板４４と、一対の下部側板４５と、一対の扉板４６とを含む。これらキャビネット板によって、便器本体１１側から見て、支持部材２０は覆い隠される。
【００３９】
上部前板４２は、横フレーム２６のフレーム本体２７の上方に設けられている。下部前板４３は、上部前板４２の下方に設けられ、フレーム本体２７の前面を覆い隠している。
【００４０】
一対の下部側板４５は、一対の縦フレーム２１を、横フレーム２６の延在方向に挟む位置に設けられている。それぞれの下部側板４５は、逆Ｌ字状に形成されている。一対の下部側板４５は、横フレーム２６の下方で、下部前板４３の裏面または幅方向（横フレーム２６の延在方向）の縁部に取り付けられている。
【００４１】
一対の下部側板４５のそれぞれの上に一対の上部側板４４が設けられている。上部側板４４は、横フレーム２６よりも上方に延在し、その部分が上部前板４２の裏面または幅方向（横フレーム２６の延在方向）の縁部に取り付けられている。
【００４２】
上部側板４４における下部の前端側には切欠き４４ａが形成されている。その切欠き４４ａの内側に、横フレーム２６が位置している。すなわち、横フレーム２６は、下部側板４５の上であって、上部側板４４の切欠き４４ａの内側を水平方向に貫通している。
【００４３】
上部側板４４と下部側板４５とは、横フレーム２６を上下に挟んで分割されている。したがって、便器本体１１の後方の奥行き方向に延在する側板と呼ばれるキャビネット板を設置するにあたって、横フレーム２６の存在が障害にならず、施工性がよい。
【００４４】
上部側板４４及び下部側板４５には、扉板４６が連結されている。扉板４６は、上部側板４４及び下部側板４５よりも横フレーム２６のスライド部２８側に設けられ、そのスライド部２８の前面を覆い隠している。
【００４５】
上部前板４２、一対の上部側板４４および一対の扉板４６の上端部の上に、天板４１が設けられている。天板４１、上部前板４２および一対の上部側板４４によって区画された空間には、便器本体１１に給水される水を貯留する給水タンクが設けられる。給水タンクは、図示しない給水管を通じて、図２に示す便器本体１１の給水口１４に接続される。
【００４６】
図３（ａ）及び（ｂ）に示すように、横フレーム２６のフレーム本体２７には凹状の切欠き２７ａが形成され、前パネル２３にも凹状の切欠き２３ｂが形成されている。これら切欠き２７ａ、２３ｂは、図２に示すように、便器本体１１の後部１３に形成された給水口１４に対応する位置に形成され、その切欠き２７ａ、２３ｂの内側を給水管が通されて給水口１４に接続される。
【００４７】
図４において、天板４１、上部側板４４および扉板４６によって区画された空間は、収納空間として使われる。横フレーム２６よりも下方における下部前板４３の後方の空間には、排水管などが設けられる。排水管は、支持部材２０の前パネル２３に形成された開口２３ａおよび下部前板４３に形成された開口を通じて、便器本体１１の後部１３に形成された排水口１５（図２に示す）に接続される。
【００４８】
便器本体１１は、床面１００ａから浮いた状態で支持部材２０に支持されている。したがって、便器本体１１の底部と、床面１００ａとの間に空間があり、清掃性やメンテナンス性に優れる。
【００４９】
使用者が便器本体１１の便座に着座すると、図１（ａ）及び（ｂ）において矢印Ａで表すように便器本体１１に下向きの力が加わる。この下向きの力Ａは、床１００と横壁２００に分散されて伝わる（加わる）。すなわち、便器本体１１に加わった下向きの力Ａは、支持部材２０の縦フレーム２１を介して床１００に下向きの力ａ１として伝わり、さらに横フレーム２６を介して横壁２００に対しても下向きの力ａ２として伝わる。したがって、便器本体１１に加わった下向きの力が、縦フレーム２１の下の床に集中せず、横壁２００にも分散される。
【００５０】
床面１００ａを上方から見た平面視で、横フレーム２６は、縦フレーム２１の真上で、一対の横壁２００に向けて延び、その両端部が横壁２００に固定されている。
【００５１】
このため、便器本体１１、縦フレーム２１および横フレーム２６は、縦フレーム２１を支える床の部分を支点とした、てこのようには機能しない。すなわち、支点を挟んで力点と作用点とが位置しない。
【００５２】
したがって、便器本体１１に加わった下向きの力を、横フレーム２６を介して横壁２００に対しても下向きの力として伝えることができる。すなわち、便器本体１１に加わった下向きの力を、横壁２００も下向きの荷重を受けて負担することができる。
【００５３】
横壁２００も便器本体１１に加わった下向きの力を負担することで、縦フレーム２１の下の床部分にかかる下向き荷重が軽減する。これにより、床のたわみが抑制され、便器本体１１が前方へ倒れるように傾くことを抑制できる。この結果、床の破損を防ぐことができ、また使用者に不快感や不安感を感じさせない。また、パブリック向けに比べて強度が弱いことが多い住宅用の床に特別な補強を施さなくても、壁掛け便器の設置が可能になり、コストアップをまねかない。
【００５４】
また、横フレーム２６を、縦フレーム２１の真上に設けることで、支持部材２０全体の奥行き寸法（便器本体１１側からその後方への奥行き寸法）の増大を抑えることができる。
【００５５】
便器本体１１の後方のキャビネット設置スペースの奥行き方向の寸法は様々である。便器本体１１の後ろ側で便器本体１１を支持する支持部材２０の奥行き方向の寸法が小さいことで、様々な奥行き方向寸法のキャビネット設置スペースに対応しやすくなる。キャビネット設置スペースの奥行き方向寸法に合わせて、支持部材２０の奥行き方向寸法の設計を変更する必要性を低くできる。
【００５６】
横フレーム２６の両端部が固定される横壁は、壁掛け腰掛便器１０が設置されるトイレ室の壁に限らない。例えば、大便器と小便器とが設けられた広いトイレ室の場合、そのトイレ室の壁とは別に、トイレ室内における便器本体１１の側方に横壁を設けてもよい。
【００５７】
その場合の支持部材２０及び横壁５０を、図５に示す。
【００５８】
図５に示す例では、横フレーム２６の長手方向の一方の端部は、トイレ室の横壁２００（躯体の横壁）に固定され、他方の端部が、躯体の横壁２００とは別に設置された横壁５０に固定される。
【００５９】
その横壁５０は、トイレ室内における任意の位置に、後から施工することができる。したがって、その横壁５０に対して固定される横フレーム２６の端部にはスライド部２８は設けてなくてもよい。横壁５０は、躯体の対向する一対の横壁２００の間に設置される。
【００６０】
横壁２６は、支持部材２０の一方の縦フレーム２１の側方に設けられた前側縦フレーム５１と、前側縦フレーム５１よりも支持部材２０の後方に設けられた後側縦フレーム５２と、それら前側縦フレーム５１と後側縦フレーム５２との間に設けられた側面フレーム５３とを有する。前側縦フレーム５１、後側縦フレーム５２および側面フレーム５３は、一体に形成されている。
【００６１】
前側縦フレーム５１の下端部には、下方に向けて延びるロッド５４が設けられている。そのロッド５４は、床面の下で、例えばコンクリート製の床スラブに固定される。これにより、横壁５０は、床面上で強固に支えられる。
【００６２】
後側縦フレーム５２の下端部は、壁固定フレーム５５上に固定されている。壁固定フレーム５５は、後側縦フレーム５２の下端部から、反対側の躯体の横壁２００に向けて延びている。壁固定フレーム５５は、トイレ室の後壁に対して固定される。
【００６３】
支持部材２０の横フレーム２６における横壁５０側の端部は、前側縦フレーム５１と側面フレーム５３とのコーナー部に固定されている。
【００６４】
躯体の横壁２００とは別に設けられた横壁５０に対して支持部材２０の横フレーム２６の端部を固定させることで、躯体における対向する一対の横壁間の距離が長い広いトイレ室であっても対応できる。
【００６５】
なお、横フレーム２６の一方の端部に限らず、両端部を躯体の横壁とは別に設けられた横壁に固定させてもよい。
【００６６】
（第２実施形態）
次に、第２実施形態の壁掛け腰掛便器について説明する。図面において、第１実施形態と同じ要素には、同じ符号を付している。
【００６７】
図６（ａ）は、第２実施形態の壁掛け腰掛便器の上面図であり、図６（ｂ）は、その壁掛け腰掛便器の正面図である。  
図７は、第２実施形態の壁掛け腰掛便器の側面図である。
【００６８】
この第２実施形態では、支持部材６０が第１実施形態と異なる。
【００６９】
支持部材６０は、一対の載置部６２と、一対の縦フレーム６１と、横フレーム６３とを有する。
【００７０】
載置部６２は、図７に示すように、便器本体１１の後方の床面１００ａに載置され、ボルトで床１００に固定される。縦フレーム６１は、載置部６２に対して固定され、載置部６２から上方に延在している。載置部６２及び縦フレーム６１は一体に形成されている。一対の載置部６２及び一対の縦フレーム６１は、一対の横壁２００の間で、一対の横壁２００を結ぶ方向に並んで配置されている。
【００７１】
一対の縦フレーム６１の上部に横フレーム６３が設けられ、横フレーム６３は一対の縦フレーム６１に対して支持されている。一対の縦フレーム６１及び横フレーム６３は一体形成されている。
【００７２】
縦フレーム６１は、床面１００ａから鉛直方向に上方に延在しており、横フレーム６３は、鉛直方向に対して直交する水平方向に延在している。さらに具体的には、横フレーム６３は、対向する一対の横壁２００を結ぶ方向に延在し、その両端部のそれぞれが一対の横壁２００に対して固定されている。
【００７３】
横フレーム６３は、上記水平方向に延在するフレーム本体６４と、フレーム本体６４の長手方向の両端部に取り付けられた一対のスライド部６５とを有する。
【００７４】
フレーム本体６４は、一対の縦フレーム６１に対して一体に設けられている。スライド部６５は、フレーム本体６４の端部に、水平方向にスライド自在に取り付けられている。スライド部６５の端部には、横壁２００に対する取付部６６が設けられている。スライド部６５のスライドに伴い、取付部６６も水平方向にスライドする。取付部６６は、横壁２００に対して平行な板状に形成されている。
【００７５】
縦フレーム６１は、便器本体１１の後ろ側で載置部６２を介して床面１００ａ上に支持されて、上方（鉛直方向）に延在している。横フレーム６３は、床面１００ａを上方から見た平面視で、一対の縦フレーム６１の真上の位置を、水平方向であって且つ一対の横壁２００を結ぶ方向に延びている。
【００７６】
載置部６２は床１００に対してボルトで固定される、したがって、縦フレーム６１も床１００に対して固定される。横フレーム６３の両端部に取り付けられたスライド部６５の取付部６６は、ボルトで横壁２００に対して固定される。横壁２００の強度が十分でない場合には、例えば合板などで補強した横壁２００に対して横フレーム６３の取付部６６が固定される。
【００７７】
このとき、スライド部６５は、一対の横壁２００間を結ぶ方向にスライド自在であるため、様々な横壁２００間の距離に対応できる。すなわち、横フレーム６３全体の長さは固定されておらず、壁掛け腰掛便器を設置するトイレ室における一対の横壁２００間の距離に応じてスライド部６５をスライドさせて、横フレーム６３の長さを調整できる。
【００７８】
便器本体１１は、支持部材６０の前方の空間に設けられる。便器本体１１の後部１３が、２本のボルト３１によって、一対の縦フレーム６１に対して固定される。
【００７９】
図６（ｂ）に示すように、一対の縦フレーム６１の下部には、一対の縦フレーム６１間をつなぐ補強フレーム６９が設けられている。補強フレーム６９は、一対の縦フレーム６１に対して直交する水平方向に延在している。また、ボルト３１の取付部の下にも、水平方向に延在して一対の縦フレーム６１間をつなぐ補強フレーム６８が設けられている。
【００８０】
補強フレーム６９には、図７に示すように、便器本体１１側に突出した便器受け部２５が設けられている。便器受け部２５は、例えば円板状に形成され、便器本体１１の後部１３の下部を受ける。すなわち、便器本体１１の後部１３の下部は便器受け部２５に当接し、便器本体１１の下部の後方（支持部材６０側）への移動が規制される。これにより、便器本体１１の下部は、便器受け部２５によって位置決めされて支えられる。
【００８１】
本実施形態においても、便器本体１１は、床面１００ａから浮いた状態で支持部材６０に支持されている。したがって、便器本体１１の底部と、床面１００ａとの間に空間があり、清掃性やメンテナンス性に優れる。
【００８２】
使用者が便器本体１１の便座に着座すると、図７に示すように便器本体１１に下向きの力Ａが加わる。この下向きの力Ａは、床１００と横壁２００に分散されて伝わる（加わる）。すなわち、便器本体１１に加わった下向きの力Ａは、支持部材６０の縦フレーム６１を介して床１００に下向きの力ａ１として伝わり、さらに横フレーム６３を介して横壁２００に対しても下向きの力ａ２として伝わる。したがって、便器本体１１に加わった下向きの力が、縦フレーム６１の下の床に集中せず、横壁２００にも分散される。
【００８３】
床面１００ａを上方から見た図６（ａ）の平面視で、横フレーム６３は、縦フレーム６１の真上で、一対の横壁２００に向けて延び、その両端部が横壁２００に固定されている。
【００８４】
このため、便器本体１１、縦フレーム６１および横フレーム６３は、縦フレーム６１を支える床の部分を支点とした、てこのようには機能しない。すなわち、支点を挟んで力点と作用点とが位置しない。
【００８５】
したがって、便器本体１１に加わった下向きの力を、横フレーム６３を介して横壁２００に対しても下向きの力として伝えることができる。すなわち、便器本体１１に加わった下向きの力を、横壁２００も下向きの荷重を受けて負担することができる。
【００８６】
横壁２００も便器本体１１に加わった下向きの力を負担することで、縦フレーム６１の下の床部分にかかる下向き荷重が軽減する。これにより、床のたわみが抑制され、便器本体１１が前方へ倒れるように傾くことを抑制できる。この結果、床の破損を防ぐことができ、また使用者に不快感や不安感を感じさせない。また、パブリック向けに比べて強度が弱いことが多い住宅用の床に特別な補強を施さなくても、壁掛け便器の設置が可能になり、コストアップをまねかない。
【００８７】
横フレーム６３は、図７に示すように、便器本体１１がボルト３１によって縦フレーム６１に対して取り付けられた部分よりも上方であって、さらに便器本体１１の上面よりも上方で縦フレーム６１に支持されている。
【００８８】
便器本体１１の真後ろに横フレーム６３がないため、便器本体１１に対する給水管や排水管の接続作業がしやすい。
【００８９】
また、横フレーム６３を、縦フレーム６１の真上に設けることで、支持部材６０全体の奥行き寸法（便器本体１１側からその後方への奥行き寸法）の増大を抑えることができる。
【００９０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９１】
１０…壁掛け腰掛便器、１１…便器本体、２０，６０…支持部材、２１，６１…縦フレーム、２６，６３…横フレーム、２２，６２…載置部、２００，５０…横壁
【図１】
0005884963.tif 000002
【図２】
0005884963.tif 000003
【図３】
0005884963.tif 000004
【図４】
0005884963.tif 000005
【図５】
0005884963.tif 000006
【図６】
0005884963.tif 000007
【図７】
0005884963.tif 000008